(57)【要約】  【解決手段】  電気コネクタが、ここに開示されている。この電気コネクタは、ベースと、カバーと、電気端子とを有する。このベースは、前部セクションと後部セクションとを有する。前記ベースは、少なくとも１つの端子受入れ領域を有する。前記前部セクションは、その端子受入れ領域の第１部分を有する。この端子受入れ領域の第１部分は、第１の方向に延びる。前記後部セクションは、第１のスナップロック棚、および前記端子受入れ領域の第２部分を有する。この端子受入れ領域の第２部分は、第２の方向に延びる。前記第１のスナップロック棚は、前記後部セクションの長さの大半に沿って延びる。前記カバーは、頂部セクションおよびこの頂部セクションから延びる第１の横方向側部セクションを有する。この第１の横方向側部セクションは、前記第１のスナップロック棚を受入れる。前記電気端子は、前記ベースとカバーとの間に設置される。【選択図】図３
2009525586.tif 000002
【特許請求の範囲】
【請求項１】
前部セクションと後部セクションとを有するベースであって、このベースは、少なくとも１つの端子の受入れ領域を有し、前記前部セクションは、第１の方向に延びる前記端子の受入れ領域の第１の部分を有し、前記後部セクションは、第１のスナップロック棚と第２の方向に延びる前記端子の受入れ領域の第２の部分を有し、さらに、前記第１のスナップロック棚は、前記後部セクションの長さの大部分に沿って延びるものと；
頂部セクションとこの頂部セクションから延びる第１の横方向側部セクションとを有するカバーであって、その第１の横方向側部セクションは、前記スナップロック棚を受入れるものと；
前記ベースとカバーとの間に設置された電気端子と
を有する電気コネクタ。
【請求項２】
前記後部セクションは、前部部分および後部部分をさらに有し、かつ、前記第１のスナップロック棚は、この前部部分から後部部分まで延びる請求項１記載の電気コネクタ。
【請求項３】
前記後部セクションは、前記第１のスナップロック棚と対向する第２のスナップロック棚をさらに有し、かつ、前記第２のスナップロック棚は、前記後部セクションの長さの大部分に沿って延びる請求項１記載の電気コネクタ。
【請求項４】
前記カバーが、前記頂部セクションから延びる第２の横方向側部セクションをさらに有し、また、前記第２の横方向側部セクションは、前記第２のスナップロック棚を受入れる請求項３記載の電気コネクタ。
【請求項５】
前記カバーの第１の横方向側部セクションは、溝をさらに有し、また、前記第１のスナップロック棚は、この溝内に配置される請求項１記載の電気コネクタ。
【請求項６】
前記溝は、前記第１の横方向側部セクションの長さに沿う開放した対向端を有する請求項５記載の電気コネクタ。
【請求項７】
前部セクションおよび後部セクションを有するハウジングベースであって、その前部セクションは、端子の第１の部分を受入れるように適合され、前記後部セクションは、通常のカンチレバー方式で前記前部セクションから延び、この後部セクションは、前記端子の第２の部分を受入れるように適合されるものと；
前記ハウジングベースに取付けられた通常のＵ字形横断面を備えた後部セクションを有するハウジングカバーであって、このハウジングカバーは、対向する横方向側部セクションを有し、その対向する横方向側部セクションのそれぞれは、スナップロック溝を有し、このスナップロック溝は、前記後部セクションの長さの大部分に沿うクランプピング力を提供するように構成されるものと、
を有する電気コネクタハウジング。
【請求項８】
前記スナップロック溝は、横方向側部セクションのそれぞれの長さに沿う開放した対向端を有する請求項７記載の電気コネクタハウジング。
【請求項９】
前記ハウジングベースの後部セクションは、前記スナップロック溝内に配置された対向するスナップロック棚を有する請求項７記載の電気コネクタハウジング。
【請求項１０】
前記ハウジングベースの後部セクションは、前記前部セクションと後部セクションの後部側部との間に延びるチャンネル領域をさらに有し、前記スナップロック棚は、前記チャンネル領域の長さの大部分に沿って延びる請求項９記載の電気コネクタハウジング。
【請求項１１】
前記ハウジングベースの後部セクションは、前部部分と後部部分とをさらに有し、前記スナップロック棚のそれぞれは、前記前部部分から後部部分まで延びる請求項９記載の電気コネクタハウジング。
【請求項１２】
前記ハウジングカバーは、このハウジングカバーの頂部セクションから延びる溝が形成された表面をさらに有し、かつ、この溝が形成された表面は、前記後部セクションの大部分の長さに沿うクランピング力に対応して前記端子にクランピング力を供給するように構成される請求項７記載の電気コネクタハウジング。
【請求項１３】
前部セクションおよび後部セクションを有するベースであって、このベースは、少なくとも１つの端子受入れ領域を有し、前記前部セクションは、第１の方向に延びる端子受入れ領域の第１の部分を有し、さらに前記後部セクションは、第２の方向に延びる端子受入れ領域の第２の部分を有するものと；
ベースに接続されたカバーであって、このカバーは、頂部セクションと、対向する横方向側部セクションと、この横方向側部セクションを前記頂部セクションに接続する湾曲セクションとを有し、前記横方向側部セクションは、スナップロック穴を有し、さらに、前記湾曲セクションは、前記スナップロック穴から前記ベースの後部側部まで延びるものと；
前記ベースとカバーとの間に設置された電気端子と、
を有する電気コネクタ。
【請求項１４】
前記ベースの後部セクションは、前記端子受入れ領域の第２の部分から横方向外方に配置された側壁をさら有し、かつ、横方向の脚体は、後部側部に隣接する側壁の底部部分から延びる請求項１３記載の電気コネクタ。
【請求項１５】
前記側壁は、横方向の脚体の上の後部延長領域を有する請求項１４記載の電気コネクタ。
【請求項１６】
前記カバーの横方向側部セクションのそれぞれは、ノッチをさらに有し、また、このノッチは、横方向脚体を受入れる請求項１４記載の電気コネクタ。
【請求項１７】
前記カバーの横方向側部セクションのそれぞれは、後部延長部分をさらに有し、この後部延長領域は、前記後部延長部分を収容するように構成される請求項１５記載の電気コネクタ。
【請求項１８】
それぞれの前記後部延長部分は、横方向側部セクションから延び、かつ、前記ベースの後部側部で終端する請求項１７記載の電気コネクタ。
【請求項１９】
それぞれの前記側壁は、頂部側部およびスナップロック棚をさらに有し、このスナップロック棚の頂部は、その側壁の頂部側部の上に延びる請求項１４記載の電気コネクタ。
【請求項２０】
前記横方向側部セクションの厚さ、および前記カバーの湾曲セクションの厚さは、それぞれそのカバーの頂部セクションの厚さより大きい請求項１３記載の電気コネクタ。
【発明の詳細な説明】
【技術分野】
【０００１】
この発明は、電気コネクタに係り、さらにより特別には、電気コネクタのハウジングに対するカバーの接続に関する。
【背景技術】
【０００２】
その全体を参照することによって組込まれる米国特許第６，７９９，９９９号は、ハウジングにスナップロック接続されるカバーを有するフィルター機能付の電気コネクタを開示している。この電気コネクタは、自動車のエアバッグシステムの中で使用される爆管（Squib）コネクタである。
【０００３】
さらに図１および２を参照して、従来の爆管コネクタ１およびこの爆管コネクタ１のハウジングベース２の斜視図が示されている。このコネクタ１は、ハウジングベース２にスナップロック接続されるハウジングカバー３を有する。このカバー３は、後部セクションの対向する両側で２つの穴４を備えた後部セクションを有する。カバーは、さらに穴５を備えた前部セクションを有する。ハウジングベース２は、カバー３がベース２に取付けられるときに、穴４、５内にスナップする３つのスナップロック突起６、７を有する。そのハウジングおよびカバーは、電線８にクランプすることによってその電線に対する歪み除去の特徴を提供する。他方では、生産工具の本質的な再設計やその新設計の試験が必要でないように、図１および２に示される基本設計を維持する間に、ハウジングベース２およびカバー３の能力を増加して、端子電線８において加えられる、矢印９によって示されるような、９０°の引張力に耐えるという要望がある。
【発明の開示】
【課題を解決するための手段】
【０００４】
この本発明の一態様に従って、電気コネクタが開示されている。この電気コネクタは、ベースと、カバーと、電気端子とを有する。このベースは、前部セクションおよび後部セクションを有する。このベースは、少なくとも１つの端子受入れ領域を有する。この前部セクションは、その端子受入れ領域の第１の部分を有する。この端子受入れ領域の第１の部分は、第１の方向に延びる。後部セクションは、第１のスナップロック棚および端子受入れ領域の第２の部分を有する。この端子受入れ領域の第２の部分は、第２の方向に延びる。この第１のスナップロック棚は、後部セクションの長さの大部分に沿って延びる。カバーは、頂部セクションおよびこの頂部セクションから延びる第１の横方向側部セクションを有する。この第１の横方向側部セクションは、第１のスナップロック棚を受入れる。電気端子は、ベースとカバーとの間に設置される。
【０００５】
この発明の他の態様に従って、電気コネクタハウジングが開示されている。この電気コネクタハウジングは、ハウジングベースおよびハウジングカバーを有する。このハウジングベースは、前部セクションと後部セクションとを有する。この前部セクションは、端子の第１の部分を受入れるように適合される。後部セクションは、通常のカンチレバー式で前部セクションから延びている。この後部セクションは、端子の第２の部分を受入れるように適合される。ハウジングカバーは、通常のＵ字形横断面を備えた後部セクションを有している。このハウジングカバーは、ハウジングベースに設置されている。
【０００６】
ハウジングカバーは、対向する横方向側部セクションを有する。それぞれ対向する横方向側部セクションは、スナップロック溝を有する。このスナップロック溝は、後部セクションの長さの大部分に沿うクランプ力を提供するように構成される。
【０００７】
この発明のさらに他の態様に従って、電気コネクタが開示される。この電気コネクタは、ベースと、カバーと、電気端子とを有する。このベースは、前部セクションおよび後部セクションを有する。このベースは、少なくとも１つの端子受入れ領域を有する。前部セクションは、端子受入れ領域の第１の部分を有する。この第１の部分は、第１の方向に延びる。後部セクションは、端子受入れ領域の第２の部分を有する。この第２の部分は、第２の方向に延びる。カバーは、ベースに接続される。そのカバーは、頂部セクションと、対向する横方向側部セクションと、湾曲セクションとを有する。この湾曲セクションは、横方向側部セクションを頂部セクションに接続する。横方向側部は、スナップロック穴を有する。湾曲セクションは、そのスナップロック穴からベースの後部側部に延びる。電気端子は、ベースとカバーとの間に設置される。
【０００８】
この発明の前述の態様および他の特徴は、付属する図面に関して採られた、次の記述のなかで説明される。
【発明を実施するための最良の形態】
【０００９】
図３および４を参照して、この発明の特徴を具体化する電気コネクタハウジングベース１０およびハウジングカバー１２の斜視図が示される。この発明は、図面において示される代表的な実施例に関して記述されるが、この発明が、実施例の多くの代りの構成において具体化することができることは、理解されるべきである。さらに、部品または材料のあらゆる適切な寸法、形状、またはタイプを使用することができる筈である。
【００１０】
自動車のエアバッグシステムにおける使用のためのように、爆管電気コネクタを形成するために米国特許第６，７９９，９９９号に記述されるように、ベース１０およびカバー１２は、電気接点または端子、および、恐らくフェライトチューブのような他の部材とともに使用される。このベース１０およびカバー１２は、好ましくは、成型プラスチックまたは高分子材料で作られた一体の部材である。さらに図５を参照して、このベース１０は、前部セクション１４および後部セクション１６を有する。この前部セクション１４は、エアバッグイニシエータソケットまたは他の結合する電気コネクタのような別の部材のソケットに差し込まれるように適合される。その前部セクション１４は、結合するソケットに対してスナップロック接続するためのスナップロックラッチ１８と、電気接点の雌セクションを受入れるための２つのチャンネル穴２０と、前部セクションの頂部に近接する前部セクションの前部におけるカバースナップロックくさび２２とを有する。（さらに、端子受入れ領域の第１の部分として参照することができる）チャンネル穴２０のそれぞれは、前部セクション１４の結合方向に平行な方向に延びる。
【００１１】
後部セクション１６は、それによって２つの溝が形成された領域２６を備えた後部側部２４を有する。後部セクション１６は、通常のカンチレバー方式で前部セクション１４から延びる。この後部セクションは、２つの溝が形成された領域２６から前部セクション１４における２つのチャンネル穴２０に延びる２つのチャンネル領域２８を有する。内壁３０は、相互からチャンネル領域２８を分離して提供される。横方向の側壁３２は、チャンネル領域２８の外部の横方向側部に提供される。この横方向側壁３２の外部側部は、それぞれ、その長さの大部分より長いように、チャンネル領域２８の長さの全長にほぼ延びる、スナップロック棚３４を有する。このスナップロック棚３４は、それぞれ、壁３２の頂部近辺で開始する、傾斜した、または角度を有する頂部側部を備えた通常に三角の形状と、ほぼ水平の底部側部とを有する。スナップロック棚３４の前部および後部端部は、後部セクション１６の前部および後部３６、３８によって境を接する。
【００１２】
チャンネル領域（または端子受入れ領域の第２の部分）２８は、そこの電気接点の後部接続セクションおよび電線の部分を受入れるように適合される。このチャンネル領域２８は、チャンネル穴２０の第１の方向にほぼ直角である第２の方向に延びる。この電線の部分は、クリンプ加工によるように、電気接点の後部接続セクションに取付けられる。この電線は、カバー１２とベース１０との間の溝が形成された領域２６におけるチャンネル領域２８内に延びる。
【００１３】
さらに図６および７を参照して、ハウジングカバー１２は、通常、前部セクション４０および後部セクション４２を有する。この前部セクション４０は、通常、ベース１０の前部セクション１４の頂部前部側でカバースナップロックくさび２２に対するスナップロック接続のための穴４６を備えた前部スナップロックセクション４４を有する。この前部セクション４０は、チャンネル穴２０を覆ってほぼカバーするための部分４８を有する。カバー１２の後部セクション４２は、頂部セクション４９と、この頂部セクション４９の対向する横方向側部から下方に延びる２つの横方向側部のスナップロックセクション５０と、頂部セクション４９の後部側面から下方に延びる２線式接点セクション５２とを有する。この頂部セクション４９および２つの横方向側部スナップロックセクションは、通常のＵ字形横断面を形成する。
【００１４】
横方向側部スナップロックセクション５０は、それぞれ内部の面する溝５４を有する。カバー１２がベース１０に取付けられるときに、スナップロックセクション５０は、ハウジングベース１０におけるスナップロック棚３４にスナップロック接続するように適合される。この溝５４は、開放した前部および後部端を備えた後部セクションの全長に延びる。したがって、溝５４は、スナップロック棚３４の全長をそこに受入れることができる。このことは、他の従来の爆管コネクタにおいて提供される以前よりもカバー１２とベース１０との間でラッチング接触（またはクランプ加工の力）の、増加した領域を提供する。
【００１５】
２線式接触セクション５２は、通常、電線と接触するための溝が形成された底部表面５６を有する。カバー１２が、ベース１０にスナップロック接続されるときは、表面５６および溝が形成された領域２６は、その間に電線をクランプする。このことは、電線のための歪み除去を形成する。溝５４およびスナップロック棚３４におけるカバー１２とベース１０との間のラッチング接触の増加した領域のために、より大きなクランピング゛力を、ベース１０およびカバー１２によって電線に提供することができる。
【００１６】
スナップロックセクション５０は、従来技術におけるような貫通穴はなく、むしろ細長い溝またはスロット５４を備えている。細長い溝、または、スロット５４は、スナップロックセクション５０の厚さを介して、完全には延びていない。この細長い溝、またはスロット５４が、スナップロックセクション５０の厚さを介して、完全には延びていないので、スナップロックセクション５０の強さは、従来技術（それを通って貫通穴を有する横方向のスナップロック接続セクション）におけるよりも強い。
【００１７】
この発明によって、そのハウジングとカバーとは、端子電線に加えられた９０°の引張力に耐えるために増加した抵抗力を備えることができる。この発明は、図１および２に示されるような、ＦＣＩアメリカ社によって製造されたＡＢＸ−３  ＵＣ組立のような、基本的な従来の爆管コネクタ設計、および外形寸法を保つ間に、増加した引張力に対するコネクタの抵抗を改善することを可能にする。図８は、カバー９０と、ベース６０と、２本の電線８と、２つの電気接点８８とを有する電気コネクタ５８の斜視図を示している。
【００１８】
今度は図９−１２のハウジングベースの斜視図、および図１３−１７の爆管エアバッグ電気コネクタの代りの実施例のハウジングカバー図を参照して、示されている。図３−８に示される第１の実施例に近似して、第２の実施例は、図１に示される従来の電気コネクタと同じ領域および形状を占めるために寸法採りされ、形づくられる。このことは、新規なコネクタが、そのコネクタが近傍に位置する周囲の利用可能な領域および周囲の部品について心配する必要なしに、例えば自動車のハンドルハウジングおよび自動車ハンドルにおける他の部品、または車両占有者座席または占有者の頭近傍の車両フレームの部分のような、コネクタ１の代りに使用されることを可能にする。換言すれば、ここに記述される新規なコネクタは、従来のコネクタ１と同一の実際の広さおよび全体的な外形寸法を有する。このことは、この発明を具体化するコネクタが、これらの周囲の部品または周辺領域を再設計する必要なしに、使用されることを可能にする。
【００１９】
特に図９および１０を参照して、ハウジングベース６０は、前部セクション６２および後部セクション６４を有する。この前部セクション６２は、図１に示されるハウジングベースの前部セクションと同一である。後部セクション６４は、通常、それを通る２つの溝が形成された領域６８を備えた後部側部６６を有する。この後部セクションは、前部セクション６２における２つの溝が形成された領域６８から２つのチャンネル穴２０まで延びる２つのチャンネル領域７０を有する。内壁７２は、相互からチャンネル領域７０を分離して設けられる。横方向側壁７４は、チャンネル領域７０の外部の横方向側部に設けられる。
【００２０】
さらに図１１および１２を参照して、横方向側壁７４の外部側部は、それぞれスナップロック棚７６を有する。このスナップロック棚７６は、通常、傾斜し、または角度のある頂部側部７７およびほぼ水平の底部側部７９を備えた三角形状を有する。図３および５に示される実施例と異なって、各スナップロック棚７６は、後部セクションのほぼ全長には延びない。その代りに、各スナップロック棚は、図１に示される従来のコネクタにおいて使用されるスナップロック棚７６とほぼ同一の長さを有する。このスナップロック棚７６は、頂部側凹部８０用を除いてスナップロック棚７６とほぼ同一の寸法および形状を有する。
【００２１】
側壁７４の高さＸ２は、図１に示されるコネクタ１におけるベースの側壁の高さＸ１より低い。したがって、スナップロック棚７６の頂部は、図１のコネクタ１における横方向側壁の頂部と同じ高さであるのに対して、図９−１２に示される実施例におけるそれぞれのスナップロック棚７６の頂部８２は、横方向側壁７４の頂部側部８３の上に延びる。
【００２２】
横方向側壁７４は、それぞれさらに、スナップロック棚７６の底部側部の下に位置したスナップロックポケット７８を有する。このポケット７８は、側壁７４内に延びる。この横方向の側壁７４の後部端は、それぞれ、外方への突出指（または横方向脚部）８４を有する。この指８４は、横方向側壁の全高さには延びていない。その代りに、この指８４は、横方向側壁の底部から突出する。このことは、横方向側壁から外方に、横方向側壁の全高さ突出する後部セクションを有する図１に示される従来のコネクタのハウジングベースとは異なる。縮小された高さの指８４によって、後部延長領域８６は、従来技術において提供されなかったカバー９０の部分１３２に適合（accommodate）することができる指８４の上に設けられる。後部延長領域８６は、後部セクション６４の後部側部６６で、終端するか、または同一平面（flush）である。
【００２３】
チャンネル領域７０は、そこの電気接点の後部接続セクションおよび電線の部分を受入れるように適合される。この電線の部分は、クリンプ加工によるように、電気接点の後部接続セクションに取付けられる。この電線は、カバー９０とベース６０との間の溝が形成された領域６８でチャンネル領域７０内に延びている。内壁７２の高さは、図１に示される従来のコネクタにおける内壁の高さとほぼ同一である。したがって、内壁７２の高さは、横方向側壁７４の高さよりも高い。しかしながら、後部側部６６の高さは、図１に示される従来のコネクタのハウジングベースの後部側部の高さよりも低い。したがって、内壁７２の高さは、後部側部６６の高さよりも高い。
【００２４】
今度はさらに図１３−１７を参照して、カバー９０は、前部セクション９２および後部セクション９４を有する。前部セクション９２は、図１に示される従来のコネクタのハウジングカバー３の前部セクションとほぼ同一である。この前部セクション９２は、ハウジングベース６０の前部にスナップロック突出部１００（図９参照）にスナップロック接続するように適合された穴９８を備えた偏位可能なスナップロックラッチセクション９６を有する。
【００２５】
後部セクション９４は、通常、頂部１０２と、この頂部１０２の対向する側部から下方に延びる２つの横方向側スナップロックセクション１０４と、頂部１０２の後部側面から下方に延びる２線式接点セクション１０６を有する。
【００２６】
横方向側スナップロックセクション１０４は、通常のカンチレバー方式で偏位可能であり、かつ、それぞれスナップロックラッチ穴１０８を有する。カバー９０がベース６０に取付けられるときは、スナップロックセクション１０４は、ハウジングベース６０におけるスナップロック棚７６に対してスナップロック接続するように適合される。穴１０８は、セクション１０４の全長ではないが、セクション１０４を介して、全体に延びる。この穴１０８は、スナップロック棚７６をそこに受入れるために寸法採りされ、形づくられる。
【００２７】
図１４および１６において最もよく見られるように、横方向側スナップロックセクション１０４は、それぞれ、内部の突出するスナップロックラッチ突出部１１０を有している。各突出部１１０は、頂部の一般的に平坦な水平側部１１２（穴１０８の底部側部１１６に隣接している）および傾斜した底部側部１１４を有する。この傾斜した側部１１４および７７は、ベース６０に対するカバー９０の取付け中には、側部セクション１０４を弾力的に偏位するように、相互に協働するように適合される。カバー９０が、ベース６０に取付けられた後、側部セクション１０４は、相互に対向して表面７９、１１２を直接位置するために、それらのホームポジションに弾力的に偏位する。スナップロックポケット７８は、中に延びるためにスナップロックラッチ突出部１１０用の領域を提供する。
【００２８】
さらに図１６を参照して、領域１１２は、カバーとベースとの間の接点の拡大領域を形成するために、穴１０８の底部で領域１１６と結合する。各セクション１０４の幅１１８は、図１に示される従来の電気コネクタカバー３における横方向側スナップロックセクションの幅よりも大きい。したがって、領域１１６の寸法は、図１に示される従来の電気コネクタカバー３における相当領域よりも大きい。この増加した領域１１６および領域１１２は、従来技術におけるよりも一層大きい領域を創るように結合する。従来技術においては、その領域の寸法は、単に、穴４におけるより小さな幅の横方向側スナップロックセクションの厚さであった。結合され増加した寸法領域１１６および領域１１２によって、このことは、ベース６０からのカバー９０の引抜きに対する抵抗を増加する。
【００２９】
この壁７４の厚さは、セクション１０４の増加した厚み１１８を収容するために縮小される。このことは、全体的なハウジングの外形寸法を、従来技術と同一に維持する。代りの実施例において、幅１１８は、単に、追加領域を加える表面１１２を備えた従来技術と同一であることができる。
【００３０】
頂部セクション１０２に対する横方向側部セクション１０４の接続部の湾曲部（または湾曲セクション）１２０近傍の、頂部セクション１０２の部分１２６は、図１に示される従来の電気コネクタカバー３に比較して増加した厚さ１２２を有する。しかしながら、頂部セクション１０２（部分１２６とその後部端とを除いて）の厚さ１２４は、図１に示される従来の電気コネクタカバー３と同一のままである。それが部分１２６からセクション１０４まで移行しながら、湾曲部１２０は、増加した厚さを有している。この増加した厚さは、先行技術に比較して湾曲部１２０の強さを増加する。このことは、図１に示される方向９におけるように電線における引張り作用によって、カバー９０にとって、ベース６０から不注意に分離されることをより困難にする。
【００３１】
このカバー９０の後部セクションは、後部端１２８を有している。この後部端１２８は、底部ノッチ１３０を有する。このノッチ１３０は、それぞれ、ベース６０の指８４のうちの１つをそこに受入れるために寸法採りされ、形づくられる。図１に示される従来の電気コネクタカバー３と異なり、横方向側部１０４は、ノッチ１３０においては除いて、コネクタの後部端まで延びる。したがって、横方向側部セクション１０４は、従来のカバー３において提供されなかったノッチ１３０の上に位置した後部延長部分１３２を有する。これらの追加の後部延長部分１３２は、頂部セクション１０２と横方向側部セクション１０４との間の偏位可能な湾曲部の強さを高める。このことは、カバー９０にとって、電線における引張り作用によってベース６０から不注意に分離されることを一層困難にする。
【００３２】
２線式接点セクション１０６は、電線と接触するための通常に溝が形成された底部表面１３４を有する。カバー９０が、ベース６０にスナップロック接続されるときは、表面１３４および溝が形成された領域６８は、ワイヤーをその間にクランプする。このことは、ワイヤーのための歪み除去を形成する。このカバー９０とベース６０との間のラッチする接点の増加した領域のために、より大きなクランプ力が、ベース６０およびカバー９０によって電線に供与することができる。
【００３３】
図９−１７に示される実施例によって、例え、カバー９０のサイズ１１８および１２２が増加されたとしても、ベース６０の対応する領域における減少は、図１に示される従来のコネクタのハウジングと同一であるように、ハウジングの全体的な外形寸法を維持するようになされている。増加した寸法１１８および１２２は、電線における引張力によってベース６０からのカバー９０の引抜き抵抗を増加する。さらに、部分１３２およびスナップロック突出部１１０（ベース６０におけるポケット７８を備える）の付加は、図１に示される方向９のような電線における引張力によって、ベース６０からのカバー９０のより一層大きな引抜き抵抗を供給する。代りの実施例において、多かれ少なかれ、すべてのこれらの引抜き抵抗特徴を提供することができる。上述した実施例によって、図１に示される従来技術コネクタ１の後部セクションの全長Ｌと、幅Ｗと、高さＨとは、図３−１７に示されるコネクタの、長さと、幅と、高さと同一である。しかしながら、図３−１７に示されるコネクタハウジングは、図１に示される従来技術コネクタに比較して、ハウジングベースからのハウジングカバーの引抜きに対する増加した抵抗を有する。
【００３４】
先行の記述がこの発明の単に例証であることは、理解されるに違いない。様々な代案および修正が、この発明から逸脱することなくこの技術分野において熟練している人々によって、考案することができる。したがって、この発明は、付属された請求項の範囲内にあるような代案、修正、および相違をすべて包含するように意図されている。
【図面の簡単な説明】
【００３５】
【図１】従来の爆管コネクタの斜視平面図である；
【図２】図１に示されるコネクタのハウジングベースの斜視底面図である；
【図３】この発明の特徴を具体化する電気コネクタのハウジングベースの斜視平面図である；
【図４】図３に示されるハウジングベースを伴う使用のためのハウジングカバーの斜視底面図である；
【図５】図３に示されるハウジングベースの縦側面図である；
【図６】図４に示されるハウジングカバーの縦側面図である；
【図７】７−７線に沿って得られた図６に示されるハウジングカバーの断面図である；
【図８】図３に示されるハウジングベース、および図４に示されるハウジングカバーを有する電気コネクタの斜視図である；
【図９】この発明の特徴を具体化するハウジングベースの代りの実施例の斜視図である；
【図１０】図９に示されるハウジングベースの反対方向からの斜視図である；
【図１１】図９−１０に示されるハウジングベースの部分の部分的な拡大斜視図である；
【図１２】図１１に近似しているハウジングベースの部分の、他の方向から得られた部分的な拡大斜視図である；
【図１３】図９−１２に示されるベースとともに使用するためのハウジングカバーの代りの実施例の斜視図である；
【図１４】反対方向からの図１３に示されるハウジングカバーの斜視図である；
【図１５】図１３に示されるカバーの側面図である；
【図１６】１６−１６線に沿って得られた図１５に示されるカバーの断面図である；
【図１７】図１３に示されるハウジングカバーの平面図である。
【図１】
2009525586.tif 000003
【図２】
2009525586.tif 000004
【図３】
2009525586.tif 000005
【図４】
2009525586.tif 000006
【図５】
2009525586.tif 000007
【図６】
2009525586.tif 000008
【図７】
2009525586.tif 000009
【図８】
2009525586.tif 000010
【図９】
2009525586.tif 000011
【図１０】
2009525586.tif 000012
【図１１】
2009525586.tif 000013
【図１２】
2009525586.tif 000014
【図１３】
2009525586.tif 000015
【図１４】
2009525586.tif 000016
【図１５】
2009525586.tif 000017
【図１６】
2009525586.tif 000018
【図１７】
2009525586.tif 000019
【国際調査報告】
2009525586.tif 000020